(57)【要約】      （修正有）【課題】患者に服薬を促すことができ、且つ薬剤師等が患者の自宅等で行う作業を軽減することができる薬剤保管装置を提供する。【解決手段】薬剤保管装置１は、服薬管理装置２と薬剤設置部材３ａ，３ｂによって構成されている。服薬管理装置２は、複数の位置に顕示手段があり、薬剤設置部材３ａ，３ｂは面状であって薬剤配置部１１が複数設けられている。薬剤設置部材３ａ，３ｂは服薬管理装置２に対して着脱可能であり、薬剤設置部材３ａ，３ｂが服薬管理装置２に装着された状態においては、薬剤設置部材３の薬剤配置部１１と服薬管理装置２の顕示手段が対応し、服薬時期が到来すると、服薬管理装置２の所定の位置の発光部（顕示手段）が機能して特定の薬剤配置部１１を指示する。【選択図】図１
2017225639.tif 000002
【特許請求の範囲】
【請求項１】
服薬管理装置と薬剤設置部材を有する薬剤保管装置であって、
前記服薬管理装置は、複数の位置に顕示手段があり、
前記薬剤設置部材は面状であって、薬剤を収容する薬剤配置部が複数設けられており、  前記薬剤設置部材は服薬管理装置に対して着脱可能であり、薬剤設置部材が服薬管理装置に装着された状態においては、薬剤設置部材の薬剤配置部と服薬管理装置の顕示手段が対応し、
服薬時期が到来すると、前記服薬管理装置の所定の位置の顕示手段が機能して特定の薬剤配置部を指示することを特徴とする薬剤保管装置。
【請求項２】
服薬管理装置には窓部材があり、服薬時期が到来すると特定の薬剤配置部に対応する位置で窓が開き、特定の薬剤配置部の薬剤だけが取り出し可能となることを特徴とする請求項１に記載の薬剤保管装置。
【請求項３】
服薬管理装置と薬剤設置部材を有する薬剤保管装置であって、
前記服薬管理装置には窓部材があり、
前記薬剤設置部材は面状であって、薬剤を収容する薬剤配置部が複数設けられており、  前記薬剤設置部材は服薬管理装置に対して着脱可能であり、服薬時期が到来すると特定の薬剤配置部に対応する位置で窓が開き、特定の薬剤配置部の薬剤だけが取り出し可能となることを特徴とする薬剤保管装置。
【請求項４】
服薬管理装置と薬剤設置部材を有する薬剤保管装置であって、
前記薬剤設置部材は面状であって、薬剤を収容する薬剤配置部が複数設けられており、  前記薬剤設置部材は服薬管理装置に対して着脱可能であり、服薬管理装置は指示手段を有し、
服薬時期が到来すると、指示手段が機能して特定の薬剤配置部を指示することを特徴とする薬剤保管装置。
【請求項５】
一台の服薬管理装置に対して複数の薬剤設置部材を設置可能であることを特徴とする請求項１乃至４のいずれかに記載の薬剤保管装置。
【請求項６】
服薬管理装置は板状であって、表面側と裏面側に前記薬剤設置部材を装着可能であることを特徴とする請求項１乃至５のいずれかに記載の薬剤保管装置。
【請求項７】
薬剤を収容する薬剤配置部が複数設けられた面状の薬剤設置部材が装着される服薬管理装置であって、薬剤設置部材を着脱可能に装着する装着部を有し、当該装着部には複数の位置に顕示手段があり、薬剤設置部材が服薬管理装置に装着された状態においては、薬剤設置部材の薬剤配置部と服薬管理装置の顕示手段が対応し、
服薬時期が到来すると、前記服薬管理装置の所定の位置の顕示手段が機能して特定の薬剤配置部を指示することを特徴とする服薬管理装置。
【請求項８】
薬剤を収容する薬剤配置部が複数設けられた面状の薬剤設置部材が装着される服薬管理装置であって、薬剤設置部材を着脱可能に装着する装着部と窓部材を有し、服薬時期が到来すると特定の薬剤配置部に対応する位置で窓が開き、特定の薬剤配置部の薬剤だけが取り出し可能となることを特徴とする服薬管理装置。
【発明の詳細な説明】
【技術分野】
【０００１】
本発明は、薬剤を一服用分づつ取り出す薬剤保管装置に関するものである。
【背景技術】
【０００２】
高齢の患者や、症状が急性期を脱した患者は、在宅で療養する場合が多い。また高血圧症や高脂血圧の様な緊急性を要しない患者についても、在宅で療養する場合が多い。在宅で療養する患者は、自己管理に基づいて服薬を行う必要がある。
例えば医師の処方が、朝にＡ薬とＢ薬を服用し、昼にＢ薬を服用し、夕食後に朝の倍量のＡ薬とＣ薬を服用するものであるならば、患者自らが決められた時間に決められた種類の薬剤を決められた量だけ薬箱等から取り出し、服用する必要がある。
しかしながら、現実問題として、飲むべき薬の種類や量を間違ったり、飲み忘れることがある。また逆に重複して服用してしまうこともある。
特に、高齢者や気力が低下した患者にとっては、薬の仕分けや、決められた種類の薬剤を決められた量だけ薬箱等から取り出すことが困難であり、正確に薬剤を服用できていない場合もある。
【０００３】
また高齢者の介護施設等では、介護要員が服薬の管理を補助することとなるが、現状の介護施設では、一人の介護要員が複数の高齢者を介護する場合が多く、介護要員の負担が大きい。即ち介護施設では、介護要員が、決められた時間に決められた種類の薬剤を決められた量だけ薬箱等から取り出し、患者に薬剤を手渡すこととなるが、この作業は面倒であり、改善が望まれていた。
【０００４】
この問題に関連する技術が特許文献１に開示されている。特許文献１に開示された発明は、服薬管理装置であり、板状部材に薬剤を収納するポケットと、ポケットに内包される位置に穿設される孔と、孔に対応する位置に設けられた赤外線センサーと、赤外線センサーを制御する制御装置とを備えている。また別途送信用コンピューターと受信用コンピューターを備えている。
特許文献１に開示された服薬管理装置では、板状部材に投薬時刻及び曜日が記載されている。ポケットは板状部材に直接設けられており、各投薬時刻と当該各曜日とにそれぞれ対応する位置にポケットが配置されている。赤外線センサーは対応するポケット内に収納される薬剤の有無を感知するものである。
【０００５】
特許文献１に開示された服薬管理装置では、前記した様に板状部材に投薬時刻及び曜日が記載され、且つ板状部材にポケットがある。
患者は、薬を服用する時刻を自分で管理し、時刻が到来したら板状部材の投薬時刻及び曜日を参照して当該服用時期に対応するポケットを知る。そしてポケットから薬剤を取り出して服用する。
薬剤が取り出された事実は、赤外線センサーで検知され、制御装置から送信用コンピューターにデータが送信され、さらに送信用コンピューターから受信用コンピューターにデータが送られる。
薬剤師等は、受信用コンピューターのデータを見て、患者が薬剤を服用したか否かを知ることができる。
【先行技術文献】
【特許文献】
【０００６】
【特許文献１】特開２０１５−１４３８９１号公報
【発明の概要】
【発明が解決しようとする課題】
【０００７】
特許文献１に開示された発明によると、患者の自宅外や介護施設外においても、患者の服薬状況を管理することができる。
しかしながら、特許文献１に開示された服薬管理装置は、服薬状況を事後管理するものに過ぎず、患者に服薬を促す機能を持たない。
そのため特許文献１に開示された服薬管理装置を使用する場合は、患者自らが時計を見る等によって服薬時期を知り、自らの判断で板状部材のポケットから薬剤を取り出して服用する必要がある。従って特許文献１に開示された服薬管理装置を使用しても、患者が薬を飲み忘れたり、重複して服用する様な誤りを解消することは困難である。
【０００８】
また介護施設等では、依然として職員が患者の服薬時期を管理し、服薬時期が到来すると、介護要員が板状部材のポケットから薬剤を取り出し、患者に手渡す等の作業を強いられる。そのため特許文献１に開示された服薬管理装置を使用しても介護要員の負担は大きくは変わらない。
【０００９】
また特許文献１に開示された服薬管理装置は、患者の自宅や介護施設に設置されるものであり、訪問薬局の薬剤師が患者の自宅や介護施設を巡回訪問して板状部材のポケットに薬剤を補充することを前提としている。
即ち訪問薬局の薬剤師は、数日ごとに介護施設等を訪問し、板状部材のポケットを調べる。そして訪問日後の数日分の薬剤を服薬管理装置の該当する曜日及び時刻のポケットに挿入する。
特許文献１に開示された服薬管理装置では、薬剤師が薬局から患者の自宅や介護施設に薬剤を持参し、患者の自宅等で薬剤を仕分けし、患者の自宅等で板状部材のポケットの曜日及び時刻と医師の処方箋を確認し、患者の自宅等で各ポケットに薬剤を入れる。
この様に、特許文献１に開示された服薬管理装置では、薬剤師の仕事の大半を不慣れな場所で行う必要があり、間違いの原因の一つとなっていた。
また薬剤師は、薬剤を誤りなく所定のポケットに入れる必要から、点検や見直しに時間が掛かり、作業効率を低下させる要因となっていた。
【００１０】
本発明は、従来技術の上記した問題点に注目し、患者に服薬を促すことができ、且つ患者の自宅等で行われる作業を軽減することができる薬剤保管装置を提供することを課題とするものである。また本発明は、同様の目的を達成することができる服薬管理装置を提供することを課題とするものである。
【課題を解決するための手段】
【００１１】
上記した課題を解決すめための態様は、服薬管理装置と薬剤設置部材を有する薬剤保管装置であって、前記服薬管理装置は、複数の位置に顕示手段があり、前記薬剤設置部材は面状であって、薬剤を収容する薬剤配置部が複数設けられており、前記薬剤設置部材は服薬管理装置に対して着脱可能であり、薬剤設置部材が服薬管理装置に装着された状態においては、薬剤設置部材の薬剤配置部と服薬管理装置の顕示手段が対応し、服薬時期が到来すると、前記服薬管理装置の所定の位置の顕示手段が機能して特定の薬剤配置部を指示することを特徴とする薬剤保管装置である。
【００１２】
上記した態様において、服薬管理装置には窓部材があり、服薬時期が到来すると特定の薬剤配置部に対応する位置で窓が開き、特定の薬剤配置部の薬剤だけが取り出し可能となることが望ましい。
【００１３】
同様の課題を解決するもう一つの態様は、服薬管理装置と薬剤設置部材を有する薬剤保管装置であって、前記服薬管理装置には窓部材があり、前記薬剤設置部材は面状であって、薬剤を収容する薬剤配置部が複数設けられており、前記薬剤設置部材は服薬管理装置に対して着脱可能であり、服薬時期が到来すると特定の薬剤配置部に対応する位置で窓が開き、特定の薬剤配置部の薬剤だけが取り出し可能となることを特徴とする薬剤保管装置である。
【００１４】
同様の課題を解決するもう一つの態様は、服薬管理装置と薬剤設置部材を有する薬剤保管装置であって、前記薬剤設置部材は面状であって、薬剤を収容する薬剤配置部が複数設けられており、前記薬剤設置部材は服薬管理装置に対して着脱可能であり、服薬管理装置は指示手段を有し、服薬時期が到来すると、指示手段が機能して特定の薬剤配置部を指示することを特徴とする薬剤保管装置である。
【００１５】
上記した各態様において、一台の服薬管理装置に対して複数の薬剤設置部材を設置可能であることが望ましい。
【００１６】
上記した各態様において、服薬管理装置は板状であって、表面側と裏面側に前記薬剤設置部材を装着可能であることが望ましい。
【００１７】
同様の課題を解決するもう一つの態様は、薬剤を収容する薬剤配置部が複数設けられた面状の薬剤設置部材が装着される服薬管理装置であって、薬剤設置部材を着脱可能に装着する装着部を有し、当該装着部には複数の位置に顕示手段があり、薬剤設置部材が服薬管理装置に装着された状態においては、薬剤設置部材の薬剤配置部と服薬管理装置の顕示手段が対応し、服薬時期が到来すると、前記服薬管理装置の所定の位置の顕示手段が機能して特定の薬剤配置部を指示することを特徴とする服薬管理装置である。
【００１８】
同様の課題を解決するもう一つの態様は、薬剤を収容する薬剤配置部が複数設けられた面状の薬剤設置部材が装着される服薬管理装置であって、薬剤設置部材を着脱可能に装着する装着部と窓部材を有し、服薬時期が到来すると特定の薬剤配置部に対応する位置で窓が開き、特定の薬剤配置部の薬剤だけが取り出し可能となることを特徴とする服薬管理装置である。
【発明の効果】
【００１９】
本発明の薬剤保管装置及び服薬管理装置によると、患者に服薬を促すことができ、且つ患者の自宅や介護施設等で行われる作業を軽減することができる。
【図面の簡単な説明】
【００２０】
【図１】本発明の実施形態の薬剤保管装置の斜視図である。
【図２】図１の薬剤保管装置の正面図である。
【図３】図１の薬剤保管装置の分解斜視図である。
【図４】図１の薬剤保管装置の断面図である。
【図５】図１の薬剤保管装置の服薬管理装置の分解斜視図である。
【図６】本発明のさらに他の実施形態の薬剤保管装置の断面図である。
【図７】図６に示す服薬管理装置の分解斜視図である。
【図８】本発明のさらに他の実施形態の薬剤保管装置の正面図である。
【図９】（ａ）は本発明のさらに他の実施形態の薬剤保管装置の斜視図であり、（ｂ）はその断面拡大図である。
【発明を実施するための形態】
【００２１】
以下さらに本発明の実施形態について説明する。
本実施形態の薬剤保管装置１は、図３の様に一台の服薬管理装置２と、２枚の薬剤設置部材３ａ，３ｂによって構成されている。また薬剤保管装置１に付属する装置として、図１の様に通信端末５がある。
【００２２】
通信端末５は、公知のノートパソコンや通信タブレットであり、キーボードやタッチパネル等の入力手段と、表示画面を有している。また通信端末５は、インターネットに接続する通信機能を有している。通信端末５は他の機器と共に無線ＬＡＮを構築することができるものであり、コードレスで持ち運びできるものである。
さらに通信端末５は、服薬管理装置２に内蔵された図示しない通信手段と通信する機能も備えている。服薬管理装置２との通信方法は、有線通信であっても無線通信であってもよい。
【００２３】
通信端末５は、携帯端末としても使用されるものであり、インターネット等を通じて医師や看護師、薬剤師等の医療機関関係者と連絡を取ることができるものである。また患者が施設に入っていたり、年配である様な場合には、子や孫等の親類縁者と連絡を取り合う用途にも使用される。
【００２４】
薬剤設置部材３ａ，３ｂは、透明な薄い樹脂シートで作られたものであり、正面視が長方形である。薬剤設置部材３ａ，３ｂは使用時の姿勢を基準として上辺と下辺に芯棒１０ａ，１０ｂが内蔵されている。
薬剤設置部材３ａ，３ｂの正面には、複数の薬剤配置部１１が設けられている。薬剤配置部１１は、ポケット状であり、薬剤設置部材３ａ，３ｂの基礎シート１２に小型のポケットシート１５が接着されたものである。
ポケットシート１５は略正方形であり、下辺と左右辺が基礎シート１２に接着され、上辺が開口している。
【００２５】
本実施形態では、薬剤配置部１１は、図３の様に縦７行、横４列に配列されている。薬剤配置部１１の配列は、薬剤を服用する曜日と、服用期たる朝、昼、夕、寝る前に対応している。
即ち薬剤配置部１１の配列は、縦の７行が、月曜日、火曜日、水曜日、木曜日、金曜日、土曜日、日曜日の一週間の曜日を表し、服用する曜日を示している。
また横の４列は、朝食後服用、昼食後服用、夕食後服用、就寝前服用といった一日の服用期を示している。
本実施形態で採用する薬剤設置部材３ａ，３ｂでは、図３の様に、薬剤配置部１１に、服用する曜日と服用期が印刷されている。
【００２６】
次に服薬管理装置２について説明する。
服薬管理装置２は、図５の様に、一基の本体基板２０と、２基の窓部材２１ａ，２１ｂと、上下の枠形成部材２２によって構成されている。
本体基板２０は、図５の様に板状であり、表裏面に発光部材２３と薬剤検知センサー２５がそれぞれ縦７行、横４列に配列されている。本実施形態では、発光部材２３は顕示手段であり、且つ指示手段である。
本実施形態では、本体基板２０の表面に、発光部材２３と薬剤検知センサー２５がそれぞれ縦７行、横４列に配列されており、本体基板２０の裏面にも発光部材２３と薬剤検知センサー２５がそれぞれ縦７行、横４列に配列されている。
【００２７】
言い換えれば、１個の発光部材２３と１個の薬剤検知センサー２５が一組の表示・検知部２６となっている。そして本実施形態では、本体基板２０の表面及び裏面に２８組の表示・検知部２６がある。本実施形態では、表示・検知部２６は本体基板２０の表面に縦７行、横４列に配列されており、本体基板２０の裏面にも縦７行、横４列に配列されている。
【００２８】
表示・検知部２６の組の配列は、前記した薬剤設置部材３の薬剤配置部１１の配列に対応している。
表示・検知部２６の縦７行は、薬剤設置部材３の薬剤配置部１１の曜日の配列に対応している。また表示・検知部２６の縦４列は、朝食後服用、昼食後服用、夕食後服用、就寝前服用といった服用期に対応している。
【００２９】
発光部材２３は公知の発光体であり、本実施形態ではＬＥＤが採用されている。
薬剤検知センサー２５は光、赤外線、静電容量その他を利用した公知の物品検知センサーであり、本実施形態では、赤外線センサーが採用されている。
【００３０】
本体基板２０には図示しない制御装置と、通信手段が内蔵されている。制御装置は、発光部材２３や薬剤検知センサー２５、窓部材２１を制御するものである。
制御装置は、曜日を知るカレンダー機能と、時刻を知る時計機能を備えている。また制御装置は、通信手段も備えている。
【００３１】
窓部材２１は、独立した４系統の帯列３０ａ，ｂ，ｃ，ｄを有している。各帯列３０ａ，ｂ，ｃ，ｄは、巻き出し側ロール３１と巻き取り側ロール３２を有し、両者の間に帯状体３３が巻回されたものである。
巻き出し側ロール３１は内部に図示しないステッピングモータが内蔵されており、任意の回転数で回転させることができる。
巻き取り側ロール３２は内部に図示しない定トルクバネ（ゼンマイ）が内蔵されておりも、帯状体３３に一定の張力を与えることができる。
帯状体３３には、一か所に開口３５が設けられている。開口３５は窓として機能する。窓部材２１は、前記した４系統の帯列３０ａ，ｂ，ｃ，ｄが並列に配列されたものである。
窓部材２１は、巻き取り側ロール３２を駆動して各帯列３０ａ，ｂ，ｃ，ｄの帯状体３３を移動させ、開口３５を任意の位置に移動させることができる。
本実施形態では、窓部材２１は、指示手段としての機能も果たす。
【００３２】
枠形成部材２２には、時計部４０と、スピーカ（報知手段）４１、発光部（報知手段）４２及び音声停止スイッチ４３が設けられている。また外出スイッチ４５が設けられている。
時計部４０には公知のデジタル時計がはめ込まれている。
スピーカ４１は音声による報知を行う報知手段である。
本実施形態では、スピーカ４１は薬剤を服用する時刻が到来したことを知らせる報知手段として機能する。
また状況を知らせるための報知手段としても機能する。
音声停止スイッチ４３は、スピーカ４１の音を停止するスイッチである。外出スイッチ４５は、患者が外出する際に操作するスイッチであり、一定期間の間、服薬管理装置２を停止するスイッチである。
【００３３】
発光部４２は、内部に図示しないＬＥＤ等のライトが内蔵されており、所定の信号に応じて発光する。発光部材２３は、光によって報知する報知手段である。本実施形態では、発光部材２３は、薬剤を服用する時刻が到来したことを知らせる報知手段として機能する。
【００３４】
本実施形態の服薬管理装置２は、図５の様に、一基の本体基板２０を中心として、その正面側と裏面側に窓部材２１ａ，２１ｂが設置されている。本実施形態では、本体基板２０と窓部材２１ａ，２１ｂは、枠形成部材２２を介して一体化されている。
窓部材２１は、前記した様に独立した４系統の帯列３０ａ，ｂ，ｃ，ｄを有し、各帯列３０ａ，ｂ，ｃ，ｄは、本体基板２０の表示・検知部２６の配列の縦４列に対応し、朝食後服用、昼食後服用、夕食後服用、就寝前服用といった服用期に対応している。
即ち帯列３０ａは朝食後服用を担当し、帯列３０ｂは昼食後服用を担当し、帯列３０ｃは夕食後服用を担当し、帯列３０ｄは就寝前服用を担当する。
【００３５】
本実施形態では、本体基板２０と表裏の窓部材２１の間には、面状に広がる隙間がある。本実施形態では、当該隙間が薬剤設置部材３の収容空間３６ａ，３６ｂとして機能する。また当該薬剤設置部材の収容空間３６ａ，３６ｂは、一方の側面が開口しており、当該開口３７ａ，３７ｂが前記収容空間３６ａ，３６ｂへ薬剤設置部材３を挿入する挿入口となっている。
【００３６】
本体基板２０と窓部材２１の間の収容空間３６ａ，３６ｂを正面側又は裏面側から観察すると、平面視が略長方形である。そしてその上辺部と下辺部には係合部３８ａ，３８ｂが設けられている。
【００３７】
本実施形態の薬剤保管装置１は、服薬管理装置２の表面側と裏面側に、それぞれ薬剤設置部材３ａ，３ｂが挿入されたものである。
薬剤設置部材３ａ，３ｂは、服薬管理装置２の側面の開口３７ａ，３７ｂから薬剤設置部材の収容空間３６ａ，３６ｂへ挿入される。
薬剤設置部材３ａ，３ｂが服薬管理装置２に挿入された状態においては、薬剤設置部材３ａ，３ｂの上辺と下辺に設けられた芯棒１０ａ，１０ｂが、前記収容空間３６ａ，３６ｂの上辺部と下辺部に形成された係合部３８ａ，３８ｂと係合している。
そのため薬剤設置部材３ａ，３ｂは、芯棒１０ａ，１０ｂによって中間部分が張られ、皺や弛みなく本体基板２０の表面と裏面に配置される。
またこのとき、薬剤設置部材３ａ，３ｂの各薬剤配置部１１が、本体基板２０の１個の発光部材２３と１個の薬剤検知センサー２５によって構成される表示・検知部２６に対応する。即ち一組の発光部材２３と薬剤検知センサー２５の正面又は裏面に薬剤設置部材３ａ，３ｂの一つの薬剤配置部１１が面する。
【００３８】
次に本実施形態の薬剤保管装置１の機能および使用方法について説明する。
薬剤保管装置１は、薬剤設置部材３ａ，３ｂの薬剤配置部１１に薬剤が収容され、その状態の薬剤設置部材３ａ，３ｂが、服薬管理装置２の表面と裏面の収容空間３６ａ，３６ｂに配置される。
ここで薬剤設置部材３ａ，３ｂの薬剤配置部１１は、前記した様に曜日と、服用期に対応しており、薬剤設置部材３ａ，３ｂには、図３の様に、薬剤配置部１１に、服用する曜日と服用期が印刷されている。
本実施形態では、薬剤設置部材３ａ，３ｂの各薬剤配置部１１に、患者がその服用時期が到来したら服用すべき薬剤が収容される。
【００３９】
本実施形態では、薬剤保管装置１の服薬管理装置２は、常に患者の自宅等に置かれている。
ここで本実施形態の薬剤保管装置１では、薬剤設置部材３ａ，３ｂが服薬管理装置２に対して着脱可能であるから、薬剤師は、服薬管理装置２から薬剤設置部材３ａ，３ｂを取り外して薬剤配置部１１に薬剤を収容することができる。
さらに薬剤師は、患者の自宅等以外の場所で、薬剤配置部１１に薬剤を収容する作業を行うこともできる。
即ち薬剤師が自己の薬局（調剤室）で薬剤配置部１１に薬剤を収容し、薬剤が収容された状態の薬剤設置部材３ａ，３ｂを患者の自宅や介護施設に持ち込むことができる、そして患者の自宅等で薬剤設置部材３ａ，３ｂを服薬管理装置２に装着することができる。
前記した様に薬剤師が患者の自宅等を定期的に訪問する場合には、患者の自宅等に置かれた服薬管理装置２には、すでに過日挿入された薬剤設置部材３ａ，３ｂが入っている。薬剤師は自己の薬局で薬剤配置部１１に薬剤を収容した状態の薬剤設置部材３ａ，３ｂを患者の自宅等に持参し、既に装着されている薬剤設置部材３ａ，３ｂを今般持参した薬剤設置部材３ａ，３ｂに差し替える。
【００４０】
訪問薬局の薬剤師は、例えば一週間に一度の割合で、患者の自宅等を訪問する。これに対して本実施形態の服薬管理装置２は、薬剤設置部材３ａ，３ｂを２個装着することができ、且つ各剤設置部材３ａ，３ｂには一週間分の薬剤を収容することができる。
そのため薬剤師は、自己の薬局で一個の薬剤設置部材３に新たに一週間分の薬剤を収容し、これを患者の自宅等に持参し、既に装着されている薬剤設置部材３ａ，３ｂを今般持参した薬剤設置部材３に差し替えることとなる。
【００４１】
こうして薬剤師が持参した薬剤設置部材３を服薬管理装置２に装着する。
薬剤設置部材３は、表裏の何れかを患者等から見える方向に向け、壁に掛けられたり、壁や柱にもたれかけた状態で患者の自宅等に設置される。
作業が終了すると、薬剤師は患者宅等を離れる。
【００４２】
そしていずれかの薬剤を服用すべき時刻が到来すると、その事実が患者に報知される。例えば昼食後の服用すべき薬剤があるならば、正午にスピーカ４１から服用を促す音が発せられる。スピーカ４１から発される音は、ブザーやチャイムの様な単純な音であってもよく、「お薬の時間です」という様な言葉であってもよく、メロディであってもよい。
また通信端末５からも同様の音を発生させてもよい。
また本実施形態では、枠形成部材２２の発光部（報知手段）４２が発光し、視覚によっても服薬する時刻が到来したことを患者に知らせる。
【００４３】
さらに本実施形態では、本体基板２０のいずれかの発光部材２３が発光して特定の薬剤配置部１１を顕示的に示す。より具体的には、当該曜日の当該服用期に対応した位置の発光部材２３が発光する。即ち薬剤の服用時期に対応した位置の発光部材２３が発光する。
例えば、現在の曜日が火曜日であり、時刻が正午であるならば、上から２行目であってて、横列２列目の表示・検知部２６に属する発光部材２３が発光する。
前記した様に、発光部材２３と薬剤検知センサー２５の組の配列は、薬剤設置部材３の薬剤配置部１１の配列に対応しており、上から２行目であって、横列２列目の組は、薬剤設置部材３の「火曜日、昼食後」の薬剤配置部１１と対応している。
【００４４】
また窓部材２１が動作し、当該曜日の当該服用期に対応した位置に開口３５が移動する。先の例に従うと、窓部材２１の４系統の帯列３０ａ，ｂ，ｃ，ｄの内、昼食後服用を担当する帯列３０ｂが駆動し、帯状体３３ｂを繰り出して、開口３５を上下方向に移動させ、開口３５を火曜日に相当する上から２行目の表示・検知部２６の前で停止させる。
その結果、薬剤設置部材３の薬剤配置部１１であって、「火曜日、昼食後」の薬剤配置部１１のポケットシート１５の前が開口する。その結果、「火曜日、昼食後」の薬剤配置部１１のポケットシート１５に対応する位置で窓が開き、特定の薬剤配置部１１の薬剤だけが取り出し可能となる。
【００４５】
また薬剤設置部材３は透明な薄い樹脂シートで作られており、且つ「火曜日、昼食後」の薬剤配置部１１のポケットシート１５の前に開口（窓）ある状態で、背後の表示・検知部２６の発光部材２３が発光するから、「火曜日、昼食後」の薬剤配置部１１が顕示されて目立つ。
即ち薬剤設置部材３は２８個の薬剤配置部１１が、縦７行、横４列に配列されているが、その全面は「火曜日、昼食後」に該当する部分を除いて  帯状体３３で覆われている。また薬剤設置部材３の裏面の本体基板２０には、表示・検知部２６が縦７行、横４列に配列されているが、「火曜日、昼食後」に該当する表示・検知部２６を除いて発光部材２３が消灯している。
本実施形態では、その時に服用すべき薬剤が収容された薬剤配置部１１の前だけに窓ができ、その時に服用すべき薬剤が収容された薬剤配置部１１だけが裏側から投光されて発光する。
そのため「火曜日、昼食後」の薬剤配置部１１だけが際立つ。
【００４６】
患者は、スピーカ４１の音と、枠形成部材２２の発光部（報知手段）４２が発光することにより、服薬すべき時期が到来したことを知り、窓部材２１の開口３５による窓の位置と、発光部材２３の発光位置から服用すべき薬剤の場所が指示される。
そして患者は、窓部材２１の開口３５による窓から指を差し入れ、「火曜日、昼食後」の薬剤配置部１１から薬剤を取り出す。
【００４７】
即ち本実施形態では、本体基板２０の発光部材２３と、窓部材２１の開口３５が、特定の薬剤配置部１１を指示する指示手段として機能する。
また本体基板２０の発光部材２３と、枠形成部材２２のスピーカ４１及び発光部４２が服薬すべき時期が到来したことを知らせる報知手段として機能する。
そして患者が「火曜日、昼食後」の薬剤配置部１１から薬剤を取り出すと、対応する表示・検知部２６の薬剤検知センサー２５が薬剤を検知することができなくなり、薬剤検知センサー２５は、間接的に「火曜日、昼食後」の薬剤配置部１１から薬剤が取り出されたことを検知する。
薬剤検知センサー２５による検知が無くなると報知手段たる本体基板２０の発光部材２３の発光が停止し、枠形成部材２２のスピーカ４１が消音し、発光部４２が消灯する。
【００４８】
本実施形態では、「火曜日、昼食後」の薬剤配置部１１から薬剤が排出されたことが服薬管理装置２の制御装置に記録され、当該記録が一定の期間、保存される。なお、薬剤配置部１１から薬剤が排出された事実をもって、患者が薬剤を服用したとみなし、その事実も記録される。
前記した記録は、服薬管理装置２の通信手段によって通信端末５に送信され、同じ情報が通信端末５にも保存される。
さらにインターネット等を通じて、患者が薬剤を服用したとみなされる時刻と薬剤の情報が医師や家族等の外部の者に送信される。
【００４９】
同様に同日の夕食時になると、スピーカ４１から服用を促す音が発され、枠形成部材２２の発光部（報知手段）４２が発光する。
また窓部材２１が動作して「火曜日、夕食後」の薬剤配置部１１の対応した位置に開口３５が移動して窓を開き、且つ「火曜日、夕食後」の薬剤配置部１１のポケットシート１５の前に開口ある状態で、背後の表示・検知部２６の発光部材２３が発光する。
朝食時や就寝時についても同様の動作が行われる。
【００５０】
本実施形態の薬剤保管装置１は、服薬管理装置２と、複数の薬剤設置部材３によって構成され、薬剤設置部材３は服薬管理装置２に着脱可能である。
そのため薬剤師は、予め自己の薬局等で薬剤配置部１１に薬剤を収容し、薬剤が収容された状態の薬剤設置部材３を患者の自宅や介護施設に持ち込む事ができる。そして持ち込んだ薬剤設置部材３を既に服薬管理装置２に装着されている薬剤設置部材３と差し替えることにより、服薬管理装置２に対する薬剤の補充を完了することができる。
そのため本実施形態の薬剤保管装置１によると、患者の自宅等で行っていた作業の多くを薬剤師の薬局等で行うことができ、患者の自宅等で行う作業が軽減される。
さらに薬剤師は、慣れた場所で薬剤の補充を行うことができるので、誤りが少なく、また見直しに要する時間も短くて足る。
【００５１】
また本実施形態の薬剤保管装置１は、表裏面に薬剤設置部材３を装着することができるので、壁等に専有する面積が小さい。
また本実施形態の薬剤保管装置１は、複数の薬剤設置部材３を装着することができるので、一つの薬剤設置部材３内の薬剤を使い切っても他の薬剤設置部材３内に薬剤が残っている。
そのため、例えば一つの薬剤設置部材３内に一定期間（本実施形態では７日分）の薬剤が保管されているとすると、薬剤師は、先の訪問日から起算して８日目移行に再訪問する。そうすると、薬剤師が訪問してから、７日が経過した時点で薬剤設置部材３の表側に配された薬剤設置部材３ａの薬剤が飲み尽くされる。使用者は薬剤設置部材３を裏返して裏面側の薬剤設置部材３ｂを室内側に向け、薬剤設置部材３ｂに収容された薬剤を服用する。
【００５２】
例えば薬剤師が８日目に患者宅を訪問すると、一方の薬剤設置部材３ａは空の状態となっている。薬剤師は、持参した新たな薬剤設置部材３を元の薬剤設置部材３ａと差し替える。この様に、一つの薬剤設置部材３内の薬剤が使い尽くされた後に、薬剤師が薬剤の補充に向かうと、薬剤設置部材３を入れ換えるだけで薬剤の補充を終えることができる。
【００５３】
本実施形態の薬剤保管装置１では、本体基板２０の発光部材２３と、枠形成部材２２のスピーカ４１及び発光部４２が服薬すべき時期が到来したことを知らせる報知手段として機能する。
発光部材２３と発光部４２は光による報知であり、視覚に訴える報知である。一方、スピーカ４１は音声による報知であり、聴覚に訴える報知である。
【００５４】
スピーカ４１による報知によると、状況や条件等の情報を使用者に伝えることもできる。
例えば、「お薬をお取り下さい。」と言うような排出された薬剤を取ることを促すことができる。
【００５５】
以上説明した実施形態では、服薬管理装置２は、本体基板２０の発光部材２３と、窓部材２１を有しているが、必ずしも両者を備えている必要はなく、本体基板２０に発光部材２３があって窓部材２１が無いものであってもよく、窓部材２１があって発光部材２３が無いものであってもよい。
【００５６】
また以上説明した服薬管理装置２は、一基の本体基板２０の表裏面に薬剤設置部材３ａ，３ｂを設けるものである。そのため服薬管理装置２では、本体基板２０の表裏面に発光部材２３が設けられている。しかしながら、必ずしも多数の発光部材２３を設ける必要はない。
以下、発光部材２３が少ない構成について図６、図７を参照しつつ説明する。図６に示す薬剤保管装置４８は、一台の服薬管理装置５１と、２枚の薬剤設置部材３ａ，３ｂによって構成されている。図６、図７に示す服薬管理装置５１は、本体基板２０に発光部材２３があるが、窓部材２１は無い。
図６、図７に示す服薬管理装置５１では、一つの発光部材２３をもって本体基板２０の表裏面の薬剤設置部材３ａ，３ｂの特定箇所を指示する。
図６、図７に示す服薬管理装置５１では、本体基板２０に貫通孔４７又は透明部がある。そして当該貫通孔４７等の中に発光部材２３が内蔵されている。図６、図７に示す薬剤保管装置４８では、発光部材２３が発光することによって、光が本体基板２０の表面側と裏面側の双方に照射され、薬剤設置部材３ａ，３ｂの特定の薬剤配置部１１を指示する。ここで発光部材２３によって表裏に設けられた薬剤設置部材３ａ，３ｂが照らされることとなるが、例えば服薬管理装置５１を壁に掛けて設置する場合には、壁側の面は、使用者の目に触れない。そのため使用者は、薬剤を取り出すべき薬剤配置部１１を間違うことはない。
【００５７】
また図６、図７に示す服薬管理装置５１は、薬剤検知センサー２５を持たず、薬剤配置部１１から薬剤が取り出されたことを知るためのセンサーが無い。
服薬管理装置５１では、薬剤検知センサー２５に代わって、薬剤取り出し完了スイッチ５２を有している。
本実施形態の服薬管理装置５１では、患者等によって薬剤取り出し完了スイッチ５２が操作されたことによって所定の薬剤配置部１１から薬剤が排出されたことが服薬管理装置５１の制御装置に記録される。また薬剤取り出し完了スイッチ５２が操作されたことをもって、患者が薬剤を服用したとみなし、その事実も記録される。
【００５８】
上記した実施形態では、薬剤設置部材３に曜日と服用期を印刷したが、図８に示す薬剤保管装置５０の様に服薬管理装置５３側にこれらを記載してもよい。
また図８に示す服薬管理装置５３は、窓部材２１を有するが、本体基板２０に表示・検知部は無い。即ち図８に示す服薬管理装置５３には、個々の薬剤配置部１１を示す発光部材は無い。
図８に示す服薬管理装置５３では、これに代わって、服用期たる朝、昼、夕、寝る前に対応した発光部材５５ａ，ｂ，ｃ，ｄを有している。発光部材５５ａ，ｂ，ｃ，ｄについても、特定の薬剤配置部１１を指示するものであり、顕示手段として機能する。
【００５９】
上記した実施形態では、窓部材２１は、帯状体３３が上下方向に走行するものであるが、帯状体３３が左右に走行するものであってもよい。
また窓部材は、Ｘ−Ｙテーブルの様に、面状に動くものであってもよい。
【００６０】
上記した実施形態では、窓部材２１は、巻き出し側の部材（巻き出し側ロール３１）と巻き取り側の部材（巻き取り側ロール３２）を有し、両者の間に帯状体３３が巻回されたものであるが、帯状体３３は図９に示す薬剤保管装置５６の様に無端ベルト５７であってもよい。図９に示す薬剤保管装置５６の服薬管理装置６３では、上前側ロール５８、上後ロール６０、下後ロール６１、下前ロール６２を有し、この４個のロールに無端ベルト５７が懸架されている。無端ベルト５７には、一か所に開口３５が設けられている。開口３５は窓として機能する。上記した４個のロールのいずれかは動力によって駆動する駆動ロールであり、他は従動ロールである。
本実施形態の薬剤保管装置５６についても、服薬管理装置６３と２枚の薬剤設置部材３ａ，３ｂによって構成されている。ただし、図９に示す薬剤保管装置５６では、本体基板２０の表面側に、薬剤設置部材３ａ，３ｂが２枚、重ねて配されている。
【００６１】
図９に示す薬剤保管装置５６では、帯状体３３たる無端ベルト５７は、矢印の様に薬剤保管装置５６の表面側を下から上に向かって走行する。
そのため帯状体３３の開口３５が薬剤配置部１１に引っ掛かり難い。
即ち薬剤配置部１１はポケット状であり、基礎シート１２に下辺と左右辺が接着されたポケットシート１５が設けられ、上辺が開口している。帯状体３３たる無端ベルト５７は、ポケット状の薬剤配置部１１を下から上に向かって進む。そのため無端ベルト５７の開口３５は薬剤配置部１１の閉じられた下辺から接触し、ポケット状の薬剤配置部１１の表面を撫でる様に進行する。言い換えれば、無端ベルト５７はポケット形状に対して順方向に進む。そのため無端ベルト５７の走行時に、開口３５が薬剤配置部１１に引っ掛かり難い。
またこの構成によると、無端ベルト５７が薬剤設置部材３に近接しても、無端ベルト５７は薬剤配置部１１に引っ掛かり難いので、無端ベルト５７と本体基板２０の距離をより近接させることができ、薬剤保管装置５６の全厚を薄くすることができる。
【００６２】
薬剤設置部材３は使い捨てであってもよい。薬剤設置部材３の薬剤配置部１１の数は任意であり、例えば一ヵ月分であってもよい。
【符号の説明】
【００６３】
１，４８，５０，５６  薬剤保管装置
２，５１，５３，６３  服薬管理装置
３ａ，３ｂ  薬剤設置部材
１１  薬剤配置部
２０  本体基板
２１  窓部材
２３  発光部材（顕示手段）
２５  薬剤検知センサー
２６  表示・検知部
３５  開口
５５ａ，ｂ，ｃ，ｄ  発光部材（顕示手段）
【図１】
2017225639.tif 000003
【図２】
2017225639.tif 000004
【図３】
2017225639.tif 000005
【図４】
2017225639.tif 000006
【図５】
2017225639.tif 000007
【図６】
2017225639.tif 000008
【図７】
2017225639.tif 000009
【図８】
2017225639.tif 000010
【図９】
2017225639.tif 000011